(57)【要約】      （修正有）【課題】軽量化且つスパイクの取り外しが可能なゴルフシューズ用靴底の軽量構成を提供する。【解決手段】複数の薄型ＴＰＵリセプタクル３０と、複数の取外し可能なスパイク３１と、薄型ＴＰＵ中空仕様接地片４０と、メッシュ２０と、軽量ＥＶＡ靴底１０とを包括し、そのうち、薄型ＴＰＵリセプタクルは薄型ＴＰＵ中空仕様接地片とともに射出成型し、メッシュ上に貫入且つ固定し複数の取外し可能なスパイクは薄型ＴＰＵリセプタクルに螺着できる、取り外しが可能な装置であり、メッシュは靴底の形状に裁断し、薄型ＴＰＵリセプタクルが軽量ＥＶＡ靴底にある凹み穴１１の位置に対応し、軽量ＥＶＡ靴底の下方に粘着する。このことから、薄型ＴＰＵリセプタクルが薄型ＴＰＵ中空仕様接地片とともに射出成型し、メッシュ上に貫入するため、メッシュは部材同士を接続させ、薄型ＴＰＵ中空仕様接地片はフレームとして底面を支持する。【選択図】図１
0003196127.tif 000002
【実用新案登録請求の範囲】
【請求項１】
複数の凹み穴を有する軽量ＥＶＡ靴底と、
粘着面及び設置面を有するメッシュと、
薄型ＴＰＵ中空仕様接地片と、
前記設置面より前記薄型ＴＰＵ中空仕様接地片とともに射出成型し、前記メッシュ上に貫入且つ固定し、前記メッシュと結合し、前記メッシュの前記粘着面は前記軽量ＥＶＡ靴底に対応し、前記凹み穴に嵌合し、前記メッシュは前記軽量ＥＶＡ靴底の下方に粘着して固定する複数の薄型ＴＰＵリセプタクルと、
前記薄型ＴＰＵリセプタクルに螺着できる、取り外しが可能な装置である複数の取外し可能なスパイクとを包括することを特徴とするスパイクの取り外しが可能なゴルフシューズ用靴底の軽量構成。
【請求項２】
前記薄型ＴＰＵ中空仕様接地片は、前記複数の薄型ＴＰＵリセプタクルを設けるための複数の開口を有し、前記メッシュの前記設置面に固定し、且つ複数の中空空間を有することを特徴とする、請求項１に記載のスパイクの取り外しが可能なゴルフシューズ用靴底の軽量構成。
【考案の詳細な説明】
【技術分野】
【０００１】
本考案はゴルフシューズ、特にゴルフシューズに用いる靴底の軽量構成に関するものである。
【背景技術】
【０００２】
ゴルフは、テクニックが問われるスポーツである。その運動量は多くなく、主に様々な地形をした芝生上を歩行したり、スウィングしたりし、老若男女を問わず幅広い年齢層で楽しめる現在世界における主要なスポーツの一つである。しかし、芝生を歩行する際、特に湿った芝生において、シューズのグリップ力が不足していると、非常に転倒し易く、お年寄りや骨粗鬆症の患者の場合、重傷となる恐れがある。
【０００３】
このことから、芝生上を歩行している際に転倒し、スポーツ障害となることを未然に防ぐため、ゴルフを行うために製造されたゴルフシューズの靴底には、複数のスパイクが設置され、この複数のスパイクによって芝生を掴持することでグリップ力を増加させ、芝生上で転倒するというリスクを低減している。
【０００４】
従来のゴルフシューズは、主に練習用と試合用とに分けることができ、ゴルフシューズの靴底にあるスパイクの交感ができるか否かによって区別し、さらに詳しくいうと、スパイクは長期にわたって使用すると徐々に磨損し、特に試合の際は、長時間且つ長距離移動する必要があり、スパイクの磨損率が高いため、試合用のシューズのスパイクは交換することができ、これに引き換え、練習場で練習を行う際は、定点でスウィングすることから、スパイクの磨損率は相対的に低いため、練習用のシューズはコストが低い固定式のスパイクを用いることができる。
【０００５】
また、試合用のシューズは、ゴルフシューズの靴底に金属或いはプラスチック材質のリセプタクルを取り付ける必要があり、周知では一般的にリセプトクルを金型に設置して加工することで、ＴＰＵ(Thermoplastic polyurethanes)或いはＴＰＲ(Thermoplastic rubber)等のゴム底と結合しているが、リセプタクルに一定の厚さがないと、スパイクにかかるゴルフを行う際の付勢力を支持できないため、靴底はリセプタクルを収容する空間を形成するためにリセプタクルの厚さ以上の厚さを必要とすることから、厚くて重い靴底を形成してしまい、ユーザの負担を増加させるだけでなく、靴底のコストも増加させている。
【０００６】
また、現在、多くのリセプタクルは、ゴム底に取り付けられ、且つそのゴム底は重量が最も重い靴底（ＴＰＲの靴底の重量も通常のゴム底とほぼ同じ）であり、たとえゴムの用量を極力低減し、結合部分をＥＶＡ材質を使用したとしても、重量の低減には限りがある上、コストはおよそ二倍増加してしまう。このため、従来のスパイク交換可能なゴルフシューズは極めて重く、ユーザの負担となり易い。一部のリセプタクルは、ＴＰＵの靴底に取り付け、結合部分をＥＶＡ(Ethylene Vinyl Acetate)材質を使用しているものの、ＴＰＵの靴底自体が固いため、履き心地はあまり良くなく、且つＥＶＡ部分との粘着力を考慮すると、通常ＴＰＵを靴底面全体を覆う程の広い面積を必要とし、重量の低減に限りがあるだけでなく、ＴＰＵの容量が多いと、靴底のコストが高くなってしまう。このことから、周知のスパイク交換可能なゴルフシューズは、そのコスト、重量及び履き心地において、ユーザの負担となっている。
【考案の概要】
【考案が解決しようとする課題】
【０００７】
本考案の主要な目的は、軽量化且つスパイクの取り外しが可能なゴルフシューズの靴底構成を創作することで、使用上のニーズを満たすことにある。
【課題を解決するための手段】
【０００８】
上述の目的を達成するため、本考案は、軽量ＥＶＡ靴底と、メッシュと、薄型ＴＰＵ中空仕様接地片と、複数の薄型ＴＰＵリセプタクルと、複数の取外し可能なスパイクとを包括する、スパイクの取り外しが可能なゴルフシューズ用靴底の軽量構成であって、そのうち、前記軽量ＥＶＡ靴底は複数の凹み穴を有し、前記メッシュは粘着面及び設置面を有し、前記複数の薄型ＴＰＵリセプタクルは前記設置面より前記薄型ＴＰＵ中空仕様接地片とともに射出成型し、前記メッシュ上に貫入且つ固定してシート体となり、成型後、前記複数の薄型ＴＰＵリセプタクルの背面は凸起し、正面は前記薄型ＴＰＵ中空仕様接地片と平坦になるが、前記複数の薄型ＴＰＵリセプタクルには前記複数の取外し可能なスパイクを螺着するための螺旋状の穴があり、このため、前記複数の取外し可能なスパイクは前記薄型ＴＰＵリセプタクルに螺着できる、取り外しが可能な装置であり、前記メッシュは靴底の形状に裁断し、前記メッシュの前記粘着面は粘着によって前記軽量ＥＶＡ靴底の下方に固定し、前記凹み穴は凸起する前記複数の薄型ＴＰＵリセプタクルを嵌合している。
【考案の効果】
【０００９】
上述のことから、本考案は薄型ＴＰＵリセプタクルと前記薄型ＴＰＵ中空仕様接地片とを一緒に射出して貫入し、前記メッシュと結合し、さらに軽量ＥＶＡ靴底に粘着する構成であって、即ち、前記メッシュ、前記薄型ＴＰＵ中空仕様接地片及び前記薄型ＴＰＵリセプタクルは前記ＥＶＡ靴底の接合面と一体となるため、前記薄型ＴＰＵ中空仕様接地片及び前記薄型ＴＰＵリセプタクルを前記軽量ＥＶＡ靴底の下方に強固に粘着することができ、少なくとも次のような特徴がある。
【００１０】
第一に、前記薄型ＴＰＵ中空仕様接地片はフレームであって、前記薄型ＴＰＵリセプタクルとは射出成型の処理を介して前記メッシュに貫入し、前記メッシュは前記薄型ＴＰＵ中空仕様接地片及び前記薄型ＴＰＵリセプタクルとの間に顕著な界面がない結合状態を呈し、粘着の強固性及び前記軽量ＥＶＡ靴底との粘着力は、いずれとも極めて良好で、前記薄型ＴＰＵリセプタクルが歩行の際による振動或いは衝撃によって抜け落ちることを防ぐことができ、使用中にスパイクが脱落して紛失することがない。
【００１１】
第二に、前記複数の取外し可能なスパイクは前記薄型ＴＰＵリセプタクルに螺着できる、取り外しが可能な装置であるため、磨損すれば、すぐに取り外して交換することもでき、使用上のニーズを満たしている。
【００１２】
第三に、前記薄型ＴＰＵリセプタクルの使用寿命は一般のリセプタクルと相似し、薄型といって使用寿命が減少することはない。
【００１３】
第四に、従来のゴルフシューズの靴底にあるリセプタクルの高さは、およそ５．７〜７ｍｍで、靴底にリセプタクルを嵌合する穴はさらに１．５〜２ｍｍ深く設けることにより、前記穴はリセプタクルを有効的に被覆することから、リセプタクルと靴底とが有効的に結合するため、従来のゴルフシューズの靴底は厚くて重いものとなっている。それに引き換え、本考案が用いる前記薄型ＴＰＵリセプタクルの高さは４ｍｍ以内で、前記軽量ＥＶＡ靴底にある前記薄型ＴＰＵリセプタクルを収容する凹み穴は１ｍｍの深さを加えるだけで前記薄型ＴＰＵリセプタクルを被覆することから、有効的に靴底の厚さ及びその重量を低減することができる。そのため、従来のゴルフシューズの片方の重量は、およそ４００〜６００ｇあるのに対して、本考案に係るゴルフシューズの靴底構成で形成するゴルフシューズの片方の重量は、２６０ｇ以下に低減することができる。
【００１４】
第五に、前記薄型ＴＰＵ中空仕様接地片の厚さはおよそ２ｍｍ、前記薄型ＴＰＵリセプタクルより薄く、中空仕様となっており、ＴＰＵの重量とコストとを低減するだけでなく、フレームとして前記薄型ＴＰＵリセプタクルを被覆することができ、前記薄型ＴＰＵリセプタクルと前記取外し可能なスパイクとの運動力を強化し、且つ同じように射出して前記メッシュを貫入し、結合することで、前記軽量ＥＶＡ靴底との粘着力をより強固なものとし、前記軽量ＥＶＡ靴底の軽量及び脱落しないことを確保する上、その表面に起等を設けることで、前記取外し可能なスパイクのグリップ力及び滑り止め効果を補助している。
【００１５】
第六に、前記メッシュは、部材同士を接続させるという最も大きな役割があり、前記薄型ＴＰＵ中空仕様接地片と前記薄型ＴＰＵリセプタクルとを接続し、ＴＰＲ或いはＴＰＵのゴム底でリセプタクルを被覆する従来のゴルフシューズの製法を取って代わることができ、このことから、軽量化する効果を達成している。従来、一般のゴム底或いはＴＰＵの靴底はリセプタクルを被覆した後、その上に粘着剤等でＥＶＡ土台を粘着しており、たとえ、重量をできる限り低減したとしても、その効果には限りがある。それに引き換え、本考案は、前記メッシュと前記薄型ＴＰＵ中空仕様接地片とで一般のゴム靴或いはＴＰＵの靴底を取って代わっており、また、前記メッシュの効果は、部材同士を接続させる以外に、前記軽量ＥＶＡ靴底と粘着する際、粘着剤が前記メッシュに浸透することにより、前記軽量ＥＶＡ靴底と立体的な結合を形成し、その粘着力は一般のゴム底或いはＴＰＵの靴底がＥＶＡ土台に平面的に粘着するものと比べて強固なものとなる。また、前記メッシュと前記薄型ＴＰＵ中空仕様接地片とは異なる色彩を用いて変化を持たせることができ、さらにこれらとまた異なる色彩を持たせた前記軽量ＥＶＡ靴底と併せることで、靴底をよりカラフルなものとし、靴底の付加価値を向上することができる。
【図面の簡単な説明】
【００１６】
【図１】本考案に係る構成を示す分解図である。
【図２】本考案に係る構成を示す正面図である。
【考案を実施するための形態】
【００１７】
本考案に係る詳細な技術内容については、図面を参照しつつ以下において説明する。
図１及び図２を参照すると、本考案は、軽量ＥＶＡ靴底１０と、メッシュ２０と、薄型ＴＰＵ中空仕様接地片４０と、複数の薄型ＴＰＵリセプタクル３０と、複数の取外し可能なスパイク３１とを包括する、スパイクの取り外しが可能なゴルフシューズ用靴底の軽量構成であって、そのうち、前記軽量ＥＶＡ靴底１０は複数の凹み穴１１を有し、前記メッシュ２０は繊維布、織布或いは不織布等とすることができ、且つ粘着面２１及び設置面２２を有し、前記複数の薄型ＴＰＵリセプタクル３０は前記薄型ＴＰＵ中空仕様接地片４０とともに射出成型し、且つ前記設置面２２より前記メッシュ２０上に貫入且つ固定し、前記メッシュ２０と結合してシート体となり、また、前記複数の取外し可能なスパイク３１は、前記薄型ＴＰＵリセプタクル３０に螺着できる、取り外しが可能な装置であり、前記メッシュ２０は靴底の形状に裁断し、前記メッシュ２０の前記粘着面２１は粘着剤によって前記軽量ＥＶＡ靴底１０の下方に固定し、前記凹み穴１１は前記複数の薄型ＴＰＵリセプタクル３０を嵌合している。
【００１８】
また、本考案が包括する前記薄型ＴＰＵ中空仕様接地片４０は、前記複数の薄型ＴＰＵリセプタクル３０を設けるための複数の開口４１を有しており、前記薄型ＴＰＵ中空仕様接地片４０もまた同じように射出成型し、且つ前記設置面２２より前記メッシュ２０上に貫入且つ固定し、且つ前記メッシュ２０の前記設置面２２に固定し、また、前記薄型ＴＰＵ中空仕様接地片４０は滑り止め効果の増加のために用いる複数の凸起を設けることができ、且つ複数の中空空間４２を有することで、重量を有効的に低減し、これをゴルフシューズの靴底軽量の製作の一要素としている。
【００１９】
以上のことから、本考案に係る前記薄型ＴＰＵリセプタクルは、前記薄型ＴＰＵ中空仕様接地片をフレームとし、これとともに射出成型し、且つ前記メッシュ上に貫入且つ固定するため、前記メッシュは前記薄型ＴＰＵ中空仕様接地片及び前記薄型ＴＰＵリセプタクルとの間に顕著な界面がない結合状態を呈している。つまり、本考案に係る前記薄型ＴＰＵリセプタクルは前記軽量ＥＶＡ靴底の下方に強固に固定され、歩行の際による振動或いは衝撃によって抜け落ちることはないため、厚さが極めて薄い前記軽量ＥＶＡ靴底を用いることができ、材料の使用量を削減できるだけでなく、さらに軽量化を図ることができ、軽便に使用できるという効果を達している。
【符号の説明】
【００２０】
１０      軽量ＥＶＡ靴底
１１      凹み穴
２０      メッシュ
２１      粘着面
２２      設置面
３０      薄型ＴＰＵリセプタクル
３１      取外し可能なスパイク
４０      薄型ＴＰＵ中空仕様接地片
４１      開口
４２      中空空間
【図１】
0003196127.tif 000003
【図２】
0003196127.tif 000004